(57)【特許請求の範囲】
【請求項１】
パチンコ島の各パチンコ機から排出されたパチンコ球を研磨するとともにパチンコ島の高所に揚送して、再び、各パチンコ機に配給可能にしたパチンコ球の揚送研磨装置において、
所定高さを有する研磨筒内に、筒内のものを上昇させる方向に回転可能に螺旋体が内装され、該螺旋体により、前記研磨筒内に入れたパチンコ球と浄化材とを混合攪拌してパチンコ球を清浄にする研磨機構と、該清浄にしたパチンコ球と浄化材とを分離する分離機構とを備え、
前記分離機構は、前記研磨筒の上端排出口の周りに、排出されたパチンコ球と浄化材とを受け入れ可能に配され、前記上端排出口を略中心にして渦巻き状にスリットが形成され、該スリットを通して浄化材のみを落下して分離可能なスリット部材と、該スリット部材の円板面に上方から対向して配置され、パチンコ玉をスリット部材の中心部から外方へ強制的に掃出すべく前記スリット部材に対して相対的に回転可能に前記螺旋体の出力軸に連結されるブラシ部材とを有することを特徴とするパチンコ球の揚送研磨装置。
【請求項２】
前記ブラシ部材は、ブラシ材料を並べて成るブラシ列を、前記スリットの渦巻き方向とは逆方向の渦巻き状に形成したことを特徴とする請求項１記載のパチンコ球の揚送研磨装置。
【請求項３】
前記ブラシ部材の材料は、６−ナイロンを主成分としたことを特徴とする請求項１または２記載のパチンコ球の揚送研磨装置。
【発明の詳細な説明】
【０００１】
【産業上の利用分野】
本発明は、パチンコ島の各パチンコ機から排出されたパチンコ球を研磨するとともにパチンコ島の高所に揚送して、再び、各パチンコ機に配給可能にしたパチンコ球の揚送研磨装置に関する。
【０００２】
【従来の技術】
従来のパチンコ球の揚送研磨装置としては、例えば、清浄したパチンコ球と浄化材とを分離するため、揚送研磨筒の上端排出口を臨んでスノコを配し、パチンコ球が自重でスノコの傾斜面を転がり、スノコの目から浄化材が落下するようにしたものがある。また、小型にするため、スノコを折り返すようにして配したものがある。
【０００３】
【発明が解決しようとする課題】
しかしながら、このような従来のパチンコ球の揚送研磨装置では、パチンコ球と浄化材とを完全に分離するためには、スノコの基端から先端までの全長を長くとる必要があり、それに応じて、スノコの基端が高くなっていき、揚送研磨筒の上端部が高くなって、遊技場の天井の高さによっては、設置できない場合が生じるという問題点があった。
本発明は、このような従来の問題点に着目してなされたもので、スリット部材の中心部を同心にして渦巻き状にスリットを形成し、パチンコ球がスリット部材の中心部から外方へ渦巻き状のスリットに沿ってブラシ部材のブラシ列によって強制的に掃出すように移動するようにしたので、スリットの長さが十分な長さになり、また、スリット部材に傾斜をつけたりする必要がなく、揚送研磨筒の上端部の高さを低く抑えることができ、遊技場の天井の高さに関係なく設置できるパチンコ球の揚送研磨装置を提供することを目的としている。
【０００４】
【課題を解決するための手段】
かかる目的を達成するための本発明の要旨とするところは、
１  パチンコ島の各パチンコ機から排出されたパチンコ球を研磨するとともにパチンコ島の高所に揚送して、再び、各パチンコ機に配給可能にしたパチンコ球の揚送研磨装置において、
所定高さを有する研磨筒（１１）内に、筒内のものを上昇させる方向に回転可能に螺旋体（１５）が内装され、該螺旋体（１５）により、前記研磨筒（１１）内に入れたパチンコ球と浄化材とを混合攪拌してパチンコ球を清浄にする研磨機構（１０）と、該清浄にしたパチンコ球と浄化材とを分離する分離機構（２０）とを備え、
前記分離機構（２０）は、前記研磨筒（１１）の上端排出口（１２）の周りに、排出されたパチンコ球と浄化材とを受け入れ可能に配され、前記上端排出口（１２）を略中心にして渦巻き状にスリット（３２）が形成され、該スリット（３２）を通して浄化材のみを落下して分離可能なスリット部材（３０）と、該スリット部材（３０）の円板面に上方から対向して配置され、パチンコ玉をスリット部材（３０）の中心部から外方へ強制的に掃出すべく前記スリット部材（３０）に対して相対的に回転可能に前記螺旋体（１５）の出力軸（１７）に連結されるブラシ部材（４０）とを有することを特徴とするパチンコ球の揚送研磨装置。
【０００５】
２  前記ブラシ部材（４０）は、ブラシ材料を並べて成るブラシ列（４５）を、前記スリット（３２）の渦巻き方向とは逆方向の渦巻き状に形成したことを特徴とする１項記載のパチンコ球の揚送研磨装置。
【０００６】
３  前記ブラシ部材の材料は、ナイロン６を主成分としたことを特徴とする１または２項記載のパチンコ球の揚送研磨装置に存する。
【０００７】
【作用】
パチンコ島の各パチンコ機から排出されたパチンコ球は、螺旋体（１５）の回転により、研磨筒（１１）内を上昇するとともに、浄化材とともに混合攪拌される。研磨筒（１１）内を上昇し、浄化されたパチンコ球と浄化材とは、研磨筒（１１）の上端排出口（１２）を通ってスリット部材（３０）へ受け入れられる。
スリット部材（３０）に受け入れられたパチンコ球と浄化材とは、ブラシ部材（４０）が回転することにより、該ブラシ部材（４０）を形成するブラシ列（４５）で強制的に掃出されてスリット部材（３０）の中心部からスリット（３２）の渦巻方向へ強制移動されていく。このとき、スリット（３２）を通して浄化材が落下し、パチンコ球と浄化材とが分離する。パチンコ球が渦巻方向へ掃出されて強制的に移動されることで、十分に長い距離となったスリット（３２）上を移動するようになるため、パチンコ球と浄化材とを完全に分離することができる。
【０００８】
前記ブラシ部材（４０）は、ブラシ材料を並べて成るブラシ列（４５）を、前記スリット（３２）の渦巻き方向とは逆方向の渦巻き状に形成したものでは、パチンコ球と浄化材とをスリット（３２）の渦巻方向へより効率よく掃出して強制移動することができる。前記ブラシ部材の材料は、ナイロン６を主成分としたものでは、耐熱性や耐対耗性を高めることができる。
【０００９】
【実施例】
以下、図面に基づき本発明の一実施例を説明する。
図１〜図３は本発明の一実施例を示している。
図１および図３に示すように、図示省略したパチンコ島には多数のパチンコ機が連設されており、各パチンコ機から排出されたパチンコ球を研磨するとともにパチンコ島の高所に揚送して、再び、各パチンコ機に配給可能にする揚送研磨装置１０ａが設けられている。
【００１０】
揚送研磨装置１０ａは下半分がゆるやかな円弧状に曲げられて上半分が上方へ立ち上がり、その上端部がパチンコ島の上下方向の中央部まで延びた研磨筒１１を有しており、研磨筒１１内には、筒内のものを上昇させる方向に回転可能に螺旋体１５が内装されている。研磨筒１１の下端部には図示省略した浄化材取入れ口がそれぞれ開設されている。螺旋体１５は、研磨筒１１内に入れたパチンコ球と浄化材とを混合攪拌してパチンコ球を清浄にするものである。研磨筒１１の上端部には、螺旋体１５を駆動するための螺旋体駆動用のモータ１６が装着されている。螺旋体駆動用のモータ１６の出力軸１７が螺旋体１５の上端部に連結されている。
研磨筒１１の上端部には、筒体を水平方向に切断して成る上端排出口１２が開設されている。研磨筒１１の上端排出口１２には分離機構２０が接続されている。分離機構２０は、スリット部材３０とブラシ部材４０とを有して成る。
【００１１】
スリット部材３０は、中心部に嵌合孔３１を有する円板形状に形成され、その板面を水平にして研磨筒１１の上端排出口１２の周縁に嵌合孔３１が外嵌しており、上端排出口１２を通して排出されたパチンコ球と浄化材とを受け入れ可能に構成されている。スリット部材３０には、嵌合孔３１を中心にして多数のスリット３２が渦巻き状に形成されている。スリット３２の先端はスリット部材３０の周縁部まで延ばされ、スリット３２は浄化材のみを通して落下可能なスリット幅になっている。図１および図２に示すように、ブラシ部材４０は、ナイロン６を主成分として成形され、スリット部材３０の円板面に上方から対向するようにして配設されている。ブラシ部材４０のベース部材４１は円板形状に形成され、螺旋体１５と一体的に回転可能に螺旋体駆動用のモータ１６の出力軸１７に連結されている。ベース部材４１には、ブラシ材料を並べてなる４つのブラシ列４５が、スリット３２の渦巻き方向とは逆方向の渦巻き状にそれぞれ植設されている。ブラシ列４５のブラシ先端は、スリット部材３０上のパチンコ球をスリット部材３０の外方へ押し出し、前記周縁部の先方に開設された排出口４２からタンク部材２５に向けて強制的に掃出すように、スリット部材３０の板面に近接する位置まで延ばされている。
【００１２】
スリット部材３０の下方にはスリット部材３０で落とされた浄化材を回収可能なホッパ２２が配設されている。ホッパ２２には浄化材戻り管２３が接続され、浄化材戻り管２３の先が研磨筒１０の図示省略した浄化材取入れ口に接続され、研磨筒１０、スリット部材３０、ホッパ２２および浄化材戻り管２３により浄化材の循環路が形成されている。
スリット部材３０の周縁部の先方に開設された排出口４２からこぼれ落ちるパチンコ球を受け止めるべく、分離機構２０を外方から覆うようにしてタンク部材２５が配されている。タンク部材２５の両側壁にはパチンコ球の戻し口２６がそれぞれ開設され、各戻し口２６には戻し通路５０の上端部がそれぞれ接続されている。
【００１３】
次に作用を説明する。
パチンコ島の各パチンコ機から排出されたパチンコ球は、揚送研磨装置１０ａの研磨筒１１の下端部に流入する。また、研磨筒１１の下端部には図示省略した取入れ口を通して浄化材が取り込まれる。
螺旋体駆動用のモータ１６により螺旋体１５が回転すると、研磨筒１１に流入したパチンコ球と浄化材とが研磨筒１１内を上昇するとともに、両者が混合攪拌される。研磨筒１１内を上昇し、浄化されたパチンコ球と浄化材とは、やがて、研磨筒１１の上端排出口１２を通って研磨筒１１の外部に排出され、排出されたパチンコ球と浄化材とは上端排出口１２の周りに配したスリット部材３０へ受け入れられる。
【００１４】
スリット部材３０に受け入れられたパチンコ球と浄化材とは、螺旋体１５と一体的に回転するブラシ部材４０のブラシ列４５により、スリット部材３０の中心部から外方へ押し出されるようにしてスリット３２の渦巻方向へ強制的に移動していく。このとき、スリット３２を通して浄化材が落下し、パチンコ球はスリット部材３０上を移動するため、パチンコ球と浄化材とが分離する。渦巻き状に形成されたスリット３２は、直線状に形成されたスリットに比較しても、全長が十分に長いため、パチンコ球がスリット３２に沿って移動することにより、例えば、パチンコ球に付着した浄化材が、スリット３２を通して落下する機会が十分に多くなり、パチンコ球と浄化材とを完全に分離することができる。
また、ブラシ部材４０のブラシ列４５がスリット３２の渦巻き方向とは逆方向の渦巻き状に形成されているため、パチンコ球が徐々に、かつ、確実にスリット３２に沿って掃出されて強制的に移動する。パチンコ球が強制的に移動するので、例えば、スリット部材３０を傾斜させたりして、パチンコ球をその自重で落下させる必要がない。
【００１５】
スリット部材３０の周縁部の先方に開設された排出口４２から流出し、タンク部材２５に受け入れられたパチンコ球は、パチンコ球の戻し口２６を通り、戻し通路５０を介して、各パチンコ機に供給される。また、浄化材は浄化材取入れ口を通って研磨筒１１内に取り込まれる。
なお、前記実施例においては、４つのブラシ列４５を有するブラシ部材４０を示したが、５以上のブラシ列４５を設け、さらに、効率的、かつ、迅速にパチンコ球をスリット部材３０の外方へ強制移動するようにしてもよい。
また、ブラシ部材４０のブラシ列４５を渦巻き状に形成したものを示したが、ブラシ列４５の基端側が先端側に対して先行するように、ブラシ列４５を放射方向に対して傾くように形成して、パチンコ球をスリット部材３０の外方へ押し出すようにしてもよい。
【００１６】
【発明の効果】
本発明にかかるパチンコ球の揚送研磨装置によれば、スリット部材の中心部を同心にして渦巻き状にスリットを形成し、パチンコ球がスリット部材の中心部から外方へ渦巻き状のスリットに沿ってブラシ列にて掃出されて強制的に移動するようにしたので、スリットの長さが十分な長さになり、また、スリット部材に傾斜をつけたりする必要がなく、研磨筒の上端部の高さを低く抑えることができ、遊技場の天井の高さに関係なく設置することができる。
【図面の簡単な説明】
【図１】本発明の一実施例を示すパチンコ球の揚送研磨装置の要部断面図である。
【図２】本発明の一実施例を示すパチンコ球の揚送研磨装置の要部平面図である。
【図３】本発明の一実施例を示すパチンコ球の揚送研磨装置の正面図である。
【符号の説明】
１０ａ…揚送研磨装置
１１…研磨筒
１２…上端排出口
１５…螺旋体
２０…分離機構
２２…ホッパ
２５…タンク部材
３０…スリット部材
３２…スリット
４０…ブラシ部材
４１…ベース部材
４２…排出口
４５…ブラシ列
５０…戻し通路
【図１】
0003739426.tif 000002
【図２】
0003739426.tif 000003
【図３】
0003739426.tif 000004